(57)【要約】【課題】組み込み性を向上させることが可能な電子機器を提供することを目的とする。【解決手段】本発明の電子機器では、ＦＰＣ４０３を挟んで互いに対向するホルダ４０２上の位置に、モータ４０１と、カメラ４０５が装着されるカメラソケット４０４とを組み込み、さらに、これらを組み込んだ際に、ＦＰＣ４０３に対して、モータ４０１及びカメラソケット４０４が電気的に接続される。【選択図】図４
2008131423.tif 000002
【特許請求の範囲】
【請求項１】
モータが保持されたモータ保持部を有する保持部と、
カメラが電気的に接続されて装着されたカメラソケットと、
前記モータ及び前記カメラソケットと電気的に接続され、前記保持部と前記カメラソケットとの間で挟まれて配置されるフレキシブル配線基板とを備える電子機器。
【請求項２】
前記保持部にはフレキシブル配線基板が配される側に凹部を備え、前記フレキシブル配線基板は前記凹部に沿って配されると共に、前記凹部内に前記カメラソケットが挿入されて位置決めされる請求項１記載の電子機器。
【請求項３】
スピーカを備え、
前記フレキシブル配線基板が、前記スピーカと電気的に接続する請求項１又は２に記載の電子機器。
【請求項４】
開閉自在な２つの筐体を備え、
前記カメラ、前記モータ及び前記スピーカが、
相互に近傍に設けられると共に、前記２つの筐体の開閉を検知する開閉検知センサから所定距離を離されて配置されている請求項３に記載の電子機器。
【発明の詳細な説明】
【技術分野】
【０００１】
本発明は携帯電話などの電子機器に関する。
【背景技術】
【０００２】
現在、携帯電話を初めとする電子機器の多機能化が進んでいる。例えば、電子機器に、カメラ、モータ、スピーカ等の電子部品を具備させる様々な構造が知られている。
【０００３】
例えば、従来技術として、基板の一面にフレキシブル配線基板（Ｆｌｅｘｉｂｌｅ  Ｐｒｉｎｔｅｄ  Ｃｉｒｃｕｉｔｓ、以下単に、ＦＰＣという。）や各種電子部品などを積み上げることにより、各種電子部品の配線作業を容易にする技術がある（例えば、特許文献１）。
【特許文献１】特開２００４−１５９１７３号公報
【発明の開示】
【発明が解決しようとする課題】
【０００４】
しかし、従来技術では、カメラやモータなどをそれぞれ個別にＦＰＣの所定の位置に電気的に接続しなければならず、組み込み性が悪いという問題点を有している。
【０００５】
本発明は、上記事情に鑑みなされもので、組み込み性を向上させることが可能な電子機器を提供することを目的とする。
【課題を解決するための手段】
【０００６】
また、本発明の電子機器は、モータが保持されたモータ保持部を有する保持部と、カメラが電気的に接続されて装着されたカメラソケットと、前記モータ及び前記カメラソケットと電気的に接続され、前記保持部と前記カメラソケットとの間で挟まれて配置されるフレキシブル配線基板とを備える。
【０００７】
また、本発明の電子機器は、前記保持部にはフレキシブル配線基板が配される側に凹部を備え、前記フレキシブル配線基板は前記凹部に沿って配されると共に、前記凹部内に前記カメラソケットが挿入されて位置決めされる。
【０００８】
また、本発明の電子機器は、スピーカを備え、前記フレキシブル配線基板が、前記スピーカと電気的に接続する。
【０００９】
また、本発明の電子機器は、開閉自在な２つの筐体を備え、前記カメラ、前記モータ及び前記スピーカが、相互に近傍に設けられると共に、前記２つの筐体の開閉を検知する開閉検知センサから所定距離を離されて配置されている。
【発明の効果】
【００１０】
このように、本発明の電子機器は、モータ、ＦＰＣ及びカメラソケットが保持部に組み込まれた際に、それぞれがＦＰＣに電気的に接続されると共に、カメラソケットにカメラが電気的に接続されて組み込まれるため組み込み性が向上する。
【発明を実施するための最良の形態】
【００１１】
次に、本発明の電子機器の一実施形態である携帯電話について図面を参照して説明する。まず、本発明の電子機器の一実施形態である携帯電話の概略について図１及び図２を参照して説明する。図１及び図２は、本発明の電子機器の一実施形態である携帯電話の模式図である。図１は、筐体が開いた状態の携帯電話を示し、図２は、筐体が閉じた状態の携帯電話を示す。
【００１２】
図１に示されるように、本実施形態の携帯電話１は、表示側筐体２と、キー側筐体３とを備える。表示側筐体２とキー側筐体３とはヒンジ部６を介して開閉自在に連結されている。
【００１３】
また、表示側筐体２は、不図示の制御部などの制御に基づいて文字や図形などの画像を表示する表示部４を備える。そして、この表示部４は、例えば液晶ディスプレイなどにより構成される。なお、図１に示される携帯電話において、表示部４としては液晶ディスプレイに限定されるものではなく、本発明の趣旨を逸脱しない範囲において適宜なものを採用することができ、例えば、有機ＥＬ（Ｅｌｅｃｔｒｏ  Ｌｕｍｉｎｅｓｃｅｎｃｅ）ディスプレイなどの表示部であっても良い。
【００１４】
キー側筐体３は、ユーザにより押下されることにより文字などが入力される操作キー５を備える。この操作キー５は、例えば文字を入力するためのキーや、入力の決定などを行うためのキーを含む。
【００１５】
また、図２に示されるように、本実施形態の携帯電話は、２つの筐体を閉じた場合に外部に露出されるサブディスプレイ７を備える。このサブディスプレイ７には、例えば電子メールの着信の有無や、電波の受信感度などが表示される。サブディスプレイ７は、例えば液晶ディスプレイなどにより構成される。なお、図２に示される携帯電話において、サブディスプレイ７としては液晶ディスプレイに限定されるものではなく、本発明の趣旨を逸脱しない範囲において適宜なものを採用することができ、例えば、有機ＥＬ（Ｅｌｅｃｔｒｏ  Ｌｕｍｉｎｅｓｃｅｎｃｅ）ディスプレイなどの表示部であっても良い。
【００１６】
次に、本発明の携帯電話の構造について図３を参照して説明する。図３は、図１に示される携帯電話のキー側筐体の分解斜視図である。
【００１７】
図３に示されるように、本実施形態の携帯電話のキー側筐体はフロントケース３０１と、ラバーテンキー３０２と、シールドケース３０３と、基板３０４と、カメラとカメラホルダとモータとＦＰＣとからなるカメラアッシー３０５と、スピーカ３０６ａ，３０６ｂと、リアケース３０７とを備える。
【００１８】
フロントケース３０１は、筐体が開いた際にユーザに視認される側の筐体である。ラバーテンキー３０２は、ユーザに押下される、ゴムにより形成されたキーである。このラバーテンキー３０２においてキーの表面が形成されている面が、キー形成面となる。シールドケース３０３は、金属により形成されたケースであり、基板３０４を覆うことにより基板３０４に対する電気的な影響を除去する。基板３０４は、携帯電話の動作を制御するＣＰＵや、メモリなどが実装されている。
【００１９】
カメラアッシー３０５は、モータ保持部、ＦＰＣ、カメラソケット、カメラからなる部材である。このカメラアッシー３０５については後に詳述する。
【００２０】
スピーカ３０６ａ，３０６ｂは、入力した信号に基づいて音を発生する。このスピーカ３０６ａ，３０６ｂは、ＦＰＣに電気的に接続されている。そして、スピーカ３０６ａ，３０６ｂは、ＦＰＣから入力した信号に基づいて音を発する。リアケース３０７は、筐体が開いた際にユーザに視認される面とは逆側に形成される筐体である。
【００２１】
次に、図３に示されるカメラアッシーについて図４を参照して説明する。図４は、図３に示されるカメラアッシーの分解斜視図である。図４に示されるように、本実施形態の携帯電話のカメラアッシーは、信号が入力されることにより振動し、携帯電話に振動を与えるモータ４０１と、このモータ４０１が載置されるホルダ４０２とを備える。
【００２２】
また、カメラアッシーは、ホルダ４０２に組み込まれるＦＰＣ４０３と、ＦＰＣ４０３に電気的に接続されるカメラソケット４０４と、カメラソケット４０４に装着されると共に、カメラソケット４０４に電気的に接続されるカメラ４０５とを備える。また、ＦＰＣ４０３には、スピーカ３０６ａ，３０６ｂが電気的に接続される。ここで、スピーカ３０６ａ，３０６ｂは、それぞれ、ＦＰＣ４０３の電気接点と電気的に接続する電気接点４０６ａ及び４０６ｂ，４０６ｃ及び４０６ｄを備えている。
【００２３】
また、モータ４０１は、ホルダ４０２のモータ保持部に嵌め込まれる。そして、モータ４０１は、ゴム製のホルダ（不図示）に包まれており、そのゴム製のホルダとホルダ４０２のモータ保持部との摩擦により、モータ４０１とホルダ４０２とが着脱困難になっている。また、ホルダ４０２とＦＰＣ４０３とは接着剤により接着されている。また、カメラソケット４０４はＦＰＣ４０３に実装されている。また、カメラソケット４０４にはカメラ４０５と結合する爪（不図示）が形成されており、この爪がカメラ４０５と結合することにより、カメラソケット４０４とカメラ４０５とが結合する。また、スピーカ３０６ａ，３０６ｂはリアケース３０７に固定され、ＦＰＣ４０３とスピーカ３０６ａ，３０６ｂとは接点が接触して電気的に接続される。
【００２４】
次に、図５、図６及び図７を参照して、図４に示されるホルダについて説明する。図５は、図４に示されるホルダの斜視上面図である。図６は、図４に示されるホルダの斜視裏面図である。図７は、図４に示されるホルダの上面図である。なお、本実施形態において、ホルダやＦＰＣの上又は上面や、裏又は裏面という記載において上の方向や裏の方向とは、携帯電話のキー側筐体のキー表面側の方向が上の方向であり、リアケースの外装面側の方向が裏の方向と定義する。
【００２５】
図５、図６及び図７に示されるように、ホルダ４０２は、モータ保持部５０１と、端部５０３ａ，５０３ｂをそれぞれ有する側面支持部５０２ａ，５０２ｂと、ホルダ上面部５０４と、モータとＦＰＣとを電気的に接続するために、ホルダの下部のＦＰＣが回り込む部分となる側面開口部５０５とを備える。
【００２６】
また、図６に示されるように、ホルダ４０２の裏面部６０２には、配置されたＦＰＣを、ホルダ４０２の裏面において位置決めして固定するための固定リブ６０３ａ，６０３ｂが設けられている。そして、ホルダ４０２の裏面部６０２と、側面支持部５０２ａ，５０２ｂとにより囲まれる部分が、ＦＰＣ、カメラソケット、カメラが配置されるカメラソケット保持部６０１となる。ＦＰＣは、カメラソケット保持部６０１に沿って配置される。また、ＦＰＣ、カメラソケット、カメラは、カメラソケット保持部６０１に配置されることによりホルダ４０２に対して位置決めされる。
【００２７】
モータ保持部５０１は、載置されたモータを保持する。また、側面支持部５０２ａ，５０２ｂは、モータ保持部５０１が設置されているホルダ上面部５０４に対して略垂直な方向に沿って形成される。また、側面支持部５０２ａ，５０２ｂのそれぞれの端部５０３ａ，５０３ｂは、ＦＰＣ上に載置される。
【００２８】
側面開口部５０５は、モータに設けられている電気接点と、ＦＰＣに設けられている電気接点とを電気的に接続するために設けられたものである。すなわち、図５に示されるホルダ上面部５０４の下部に配置されたＦＰＣの一部が、側面開口部５０５を介してホルダ上面部５０４に露出され、このＦＰＣの露出部に設けられた電気接点と、モータに設けられた電気接点とが接触して電気的に接続される。
【００２９】
次に、図８、図９及び図１０を参照して、図４に示されるＦＰＣのモータとの電気接点についてさらに詳細に説明する。図８、図９及び図１０は、図４に示されるＦＰＣのモータ用の電気接点を説明するための概略を示す図であり、図８は、図４に示されるＦＰＣの上面図、図９は、図４に示されるＦＰＣの斜視概略図、図１０は、図４に示されるＦＰＣの側面図である。なお、ＦＰＣの側面とは、図３に示されるキー側筐体の長手方向に平行な方向に向かってＦＰＣを見た場合の面をいう。
【００３０】
図８及び図９に示されるように、ＦＰＣは、モータの裏面に形成された電気接点と電気的に接続されるモータ用の電気接点８０２ａ，８０２ｂが設けられた延長部８０１を備える。また、図９及び図１０に示されるように、ＦＰＣの延長部８０１は、ＦＰＣがホルダの側面開口部を回り込むために、略Ｕ字形状のＵ字形状部９０１を備えている。また、ＦＰＣは、図６に示される固定リブ６０３ａ，６０３ｂに嵌め込まれる嵌め込み部８０３ａ，８０３ｂを備えている。また、本実施形態は、不図示のコネクタにより、ＦＰＣと携帯電話の基板３０４とが電気的に接続される。このコネクタの数は１つで良い。
【００３１】
次に、図４に示される携帯電話のＦＰＣとスピーカとの接続構造について図１１を参照して説明する。図１１は、図４に示されるＦＰＣの裏面概略図である。図１１に示されるように、ＦＰＣの裏面には、スピーカに形成された電気接点と電気的に接続するための電気接点１１０１ａ，１１０１ｂ，１１０１ｃ，１１０１ｄが形成されている。スピーカは、電気接点１１０１ａ，１１０１ｂに電気的に接続されるスピーカ３０６ｂと、電気接点１１０１ｃ，１１０１ｄに電気的に接続されるスピーカ３０６ａとの２つがある。もちろん、本発明の電子機器は、スピーカの個数として２つに限定されるものではなく、本発明の趣旨を逸脱しない限り任意の個数であってよい。
【００３２】
また、図１１に示されるように、これらの電気接点１１０１ａ，１１０１ｂ及び電気接点１１０１ｃ，１１０１ｄは、それぞれ、ＦＰＣに設けられた延設部１１０３ａ及び延設部１１０３ｂに設けられている。そして、各スピーカは電気接点１１０１ａ，１１０１ｂ，１１０１ｃ，１１０１ｄと電気的に接続されることにより、信号を受信し、受信した信号に基づいて音を発する。さらに、ＦＰＣの裏面には、後述するカメラソケットの電気接点が電気的に接続される電気接点１１０２ａ，１１０２ｂが設けられている。電気接点１１０２ａ，１１０２ｂは、カメラソケットの電気接点を形成するそれぞれの端子と接続する複数の端子部から構成される。
【００３３】
また、図１０及び図１１に示されるように、ＦＰＣの裏面には、屈曲したＦＰＣにより形成される、カメラソケットが保持される断面凹形状の保持部１００１を有する。
【００３４】
次に、図４に示されるＦＰＣと、カメラ及びカメラソケットとの接続構造について図１２を参照して説明する。図１２は、図４に示されるＦＰＣと、カメラ及びカメラソケットとの接続を示す概略図である。また、図１２は、図４に示されるＦＰＣにカメラとカメラソケットを接続した場合において、ＦＰＣを裏面からみた場合の概略図である。
【００３５】
図１２に示されるように、ホルダ４０２により形成されたカメラソケット保持部には、カメラ４０５と、カメラソケット４０４と、ＦＰＣ４０３とがこの順序で組み込まれている。そして、カメラソケット４０４に設けられた複数の端子からなる電気接点１２０１が、ＦＰＣ４０３に設けられた、不図示のカメラソケットの電気接点（図１１の１１０２ａ，１１０２ｂ）を構成する複数の端子に電気的に接続される。そして、電気接点１３０１と、カメラソケットの電気接点（図１１の１１０２ａ，１１０２ｂ）との接続は、例えば半田付けにより行われる。
【００３６】
次に、図４に示されるカメラとカメラソケットとの詳細構造について図１３を参照して説明する。図１３は、図４に示されるカメラとカメラソケットとの詳細構造の概略図であり、図１３の（ａ）は、カメラソケットの斜視概略図であり、図１３の（ｂ）は、カメラの斜視概略図である。図１３の（ａ）に示されるように、長手方向の外側縁部に沿って複数設けられた電気接点１３０１を備えるカメラソケット４０４の内面には、カメラソケット４０４の長手方向の縁部に沿って複数の電気接点１３０３が設けられている。この電気接点１３０３はバネ接点により形成されている。
【００３７】
また、図１３の（ｂ）に示されるように、カメラ４０５の外面には、カメラ４０５の縁部に沿って複数の電気接点１３０４が設けられている。そして、カメラ４０５がカメラソケット４０４に取り付けられることにより電気接点１３０３と電気接点１３０４とが互いに電気的に接続されることにより、カメラソケット４０４とカメラ４０５とが電気的に接続される。
【００３８】
また、図１３（ａ）及び図１３（ｂ）に示されるように、カメラソケット４０４は周囲を側壁により囲まれた長方形のフタ形状をなしており、このフタ形状の凹部の部分にカメラ４０５が装着される。
【００３９】
また、図１３（ａ）及び図１３（ｂ）に示されるように、カメラソケット４０４の内壁には複数の爪部１３０２が設けられており、この爪部１３０２が、カメラソケット４０４にカメラ４０５が装着された際にカメラ４０５の外壁に設けられたそれぞれ対応する結合凸部１３０５と結合する。
【００４０】
次に、図１４を参照して、上述したカメラアッシーの組み立て完了時の構成図について説明する。図１４は、図４に示されるカメラアッシーの上面斜視概略図である。
【００４１】
図１４に示されるように、本発明の電子機器の一実施形態である携帯電話のカメラアッシーは、回転することにより携帯電話に振動を与える回転振動体４０１ａを備えるモータ４０１と、ホルダ４０２に設けられたモータ４０１を保持するモータ保持部５０１と、ＦＰＣ４０３に設けられた延設部１１０３ａ、１１０３ｂと、ホルダ４０２と、ＦＰＣ４０３と、カメラソケット４０４と、カメラ４０５とが組みつけられて構成される。また、ＦＰＣ４０３の一部は、ホルダ４０２の側面支持部５０２ａの端部５０３ａによりＦＰＣ４０３の裏面側に向かって押圧されている。
【００４２】
次に、図１５を参照して、本実施形態の携帯電話における、磁性体部と開閉検知センサとの位置関係について説明する。図１５は、図１に示される携帯電話における、磁性体部と開閉検知センサとの位置関係を示す概略図である。なお、磁性体部１５０１とは、本実施形態の携帯電話における、図３に示される、モータとカメラとを有するカメラアッシー３０５と、スピーカ３０６ａ，３０６ｂとからなる部分をいう。
【００４３】
図１５に示されるように、カメラなどを含む磁性体部１５０１と磁石１５０３の磁力を検知する開閉検知センサ１５０２とはキー側筐体において所定距離Ｌ離されて構成されている。ここで、この所定距離Ｌは、開閉検知センサ１５０２に対して磁性体部１５０１の磁力が影響を与えない距離であることが好ましく、少なくとも１．０ｃｍ以上であることが好ましい。例えば、図１５に示される例では、Ｌは約１．５ｃｍとなっている。
【００４４】
次に、図１６を参照して、図４に示されるモータ４０１について説明する。図１６は、図４に示されるモータの裏面概略図である。
【００４５】
図１６に示されるように、図４に示されるモータ４０１の裏面には、図８に示されるＦＰＣの電気接点８０２ａ及び電気接点８０２ｂにそれぞれ電気的に接続される、電気接点１６０１ａ及び電気接点１６０１ｂが設けられている。
【００４６】
この電気接点１６０１ａ，１６０１ｂは、モータ４０１がモータ保持部５０１に載置された際に、ホルダ上面部５０４に伸びたＦＰＣの電気接点８０２ａ，８０２ｂと電気的に接続する。
【００４７】
このように、本発明の電子機器の一実施形態の携帯電話は、モータ４０１、ＦＰＣ４０３及びカメラソケット４０４がホルダ４０２に組み込まれた際に、それぞれがＦＰＣ４０３に電気的に接続されると共に、カメラソケット４０４にカメラ４０５が電気的に接続されて組み込まれるため組み込み性が向上する。
【００４８】
さらに、本発明の電子機器の一実施形態の携帯電話は、モータ４０１、ＦＰＣ４０３及びカメラ４０５が装着されるカメラソケット４０４がホルダ４０２に対して位置決めされて組み込まれるため、モータ４０１やカメラ４０５をＦＰＣ４０３に電気的に接続するための位置決めが不要となり、モータや４０１、ＦＰＣ４０３や、カメラ４０５などの組み込み性が向上する。
【００４９】
すなわち、本発明の電子機器の一実施形態の携帯電話は、図４、図６及び図１０に示されるように、ホルダ４０２に、モータ４０１を保持するモータ保持部５０１と、ホルダ４０２に対するＦＰＣ４０３の位置を決める位置決めのための固定リブ６０３ａ，６０３ｂとを設けると共に、ホルダ４０２に組み込まれた際にモータ４０１と電気的に接続され、固定リブ６０３ａ，６０３ｂによりホルダ４０２に対する位置が決定されるＦＰＣ４０３と、ホルダ４０２との間でＦＰＣ４０３を挟むように配置されると共に、ＦＰＣ４０３が有する保持部１００１（図１０）に組み込まれた際にＦＰＣ４０３と電気的に接続されるカメラソケット４０４とカメラソケット４０４に装着されると共に、カメラソケット４０４に装着された際にカメラソケット４０４と電気的に接続されるカメラ４０５とを備えたため、ＦＰＣ４０３にカメラソケット４０４を実装し、さらにこのＦＰＣ４０３の上にホルダ４０２を載せるだけで、ホルダ４０２と、ＦＰＣ４０３と、カメラソケット４０４とを位置決めしての組み込みが完了し、さらに、モータ４０１及びカメラソケット４０４とＦＰＣ４０３との電気的接続が行われ、カメラソケット４０４にカメラ４０５を装着するのみでカメラソケット４０４とカメラ４０５との電気的接続が行われるため、これらの部材の電気的接続のための位置決めが不要となり、組み込み性を向上させることができる。
【００５０】
また、本発明の電子機器の一実施形態の携帯電話は、図４に示されるように、１つのＦＰＣ４０３を用いているため、基板とＦＰＣ４０３とを接続するためのコネクタも１つで良いこととなり、複数のコネクタを用いる場合に比べて基板の実装面積を確保できる。また、使用するコネクタも１つで良いため、複数のコネクタを使用する場合に比べてコストの低減を図ることができる。
【００５１】
また、本発明の電子機器の一実施形態の携帯電話は、図４や図１１に示されるように、ＦＰＣ４０３にスピーカ３０６ａ，３０６ｂと接続される電気接点１１０１ａ，１１０１ｂ，１１０１ｃ，１１０１ｄを備える延設部１１０３ａ，１１０３ｂを設けると共に、ＦＰＣ４０３がホルダ４０２とカメラソケット４０４との間に挟まれて配置されることによりＦＰＣ４０３の動きが制限されるため、ＦＰＣ４０３の延設部１１０３ａ，１１０３ｂの電気接点１１０１ａ，１１０１ｂ，１１０１ｃ，１１０１ｄとスピーカ３０６ｂ，３０６ａとの接続を確実なものとすることができる。
【００５２】
また、本発明の電子機器の一実施形態の携帯電話は、図４に示されるように、１つのＦＰＣ４０３に対してスピーカ３０６ａ，３０６ｂ、モータ４０１、カメラ４０５を電気的に接続しているため、これらの部材を電気的に接続するためにＦＰＣ４０３が１つで済み、ＦＰＣ４０３を複数個使用する場合に比べてコストを低減することができる。
【００５３】
また、本発明の電子機器の一実施形態の携帯電話は、図１５に示されるように、スピーカ、モータ、カメラを互いに近傍に配置して磁性体部１５０１とし、かつ、この磁性体部１５０１を開閉検知センサ１５０２から所定距離を離して配置しているため、スピーカ、モータ、カメラの磁力の開閉検知センサ１５０２に対する影響を低減でき、開閉検知センサ１５０２の検知機能を確実なものとすることができる。
【図面の簡単な説明】
【００５４】
【図１】本発明の電子機器の一実施形態である携帯電話の模式図である。
【図２】本発明の電子機器の一実施形態である携帯電話の模式図である。
【図３】図１に示される携帯電話のキー側筐体の分解斜視図である。
【図４】図３に示されるカメラアッシーの分解斜視図である。
【図５】図４に示されるホルダの斜視上面図である。
【図６】図４に示されるホルダの斜視裏面図である。
【図７】図４に示されるホルダの上面図である。
【図８】図４に示されるＦＰＣの上面図である。
【図９】図４に示されるＦＰＣの斜視概略図である。
【図１０】図４に示されるＦＰＣの側面図である。
【図１１】図４に示されるＦＰＣの裏面概略図である。
【図１２】図４に示されるＦＰＣと、カメラ及びカメラソケットとの接続を示す概略図である。
【図１３】図４に示されるカメラとカメラソケットとの詳細構造の模式図である。
【図１４】図４に示されるカメラアッシーの上面斜視概略図である。
【図１５】図１に示される携帯電話における、磁性体部と開閉検知センサとの位置関係を示す概略図である。
【図１６】図４に示されるモータの裏面概略図である。
【符号の説明】
【００５５】
１  携帯電話
２  表示側筐体
３  キー側筐体
４  表示部
５  操作キー
６  ヒンジ部
７  サブディスプレイ
３０１  フロントケース
３０２  ラバーテンキー
３０３  シールドケース
３０４  基板
３０５  カメラアッシー
３０６ａ，３０６ｂ  スピーカ
３０７  リアケース
４０１  モータ
４０１ａ  回転振動体
４０２  ホルダ（保持部）
４０３  ＦＰＣ（フレキシブル配線基板）
４０４  カメラソケット
４０５  カメラ
４０６ａ，４０６ｂ，４０６ｃ，４０６ｄ  電気接点
５０１  モータ保持部
５０２ａ，５０２ｂ  側面支持部
５０３ａ，５０３ｂ  端部
５０４  ホルダ上面部
５０５  側面開口部
６０１  カメラソケット保持部（凹部）
６０２  裏面部
６０３ａ，６０３ｂ  固定リブ
８０１  延長部
８０２ａ，８０２ｂ  電気接点
８０３ａ，８０３ｂ  嵌め込み部
９０１  Ｕ字形状部
１００１  保持部
１１０１ａ，１１０１ｂ，１１０１ｃ，１１０１ｄ  電気接点
１１０２ａ，１１０２ｂ  電気接点
１１０３ａ，１１０３ｂ  延設部
１２０１  電気接点
１３０１  電気接点
１３０２  爪部
１３０３  電気接点
１３０４  電気接点
１３０５  結合凸部
１５０１  磁性体部
１５０２  開閉検知センサ
１５０３  磁石
１６０１ａ，１６０１ｂ  電気接点
【図１】
2008131423.tif 000003
【図２】
2008131423.tif 000004
【図３】
2008131423.tif 000005
【図４】
2008131423.tif 000006
【図５】
2008131423.tif 000007
【図６】
2008131423.tif 000008
【図７】
2008131423.tif 000009
【図８】
2008131423.tif 000010
【図９】
2008131423.tif 000011
【図１０】
2008131423.tif 000012
【図１１】
2008131423.tif 000013
【図１２】
2008131423.tif 000014
【図１３】
2008131423.tif 000015
【図１４】
2008131423.tif 000016
【図１５】
2008131423.tif 000017
【図１６】
2008131423.tif 000018